(57)【要約】【課題】画像処理装置でスキャンしたデータを簡便かつ適切にモバイル端末に取り込ませる。【解決手段】画像処理装置１が、ネットワークに接続可能なモバイル端末４０のディスプレイと、シート状の記録媒体と、を含む読取り対象を載置可能な読取り面と、読取り面に載置された読取り対象をスキャンすることによってスキャンデータを出力するスキャナー部と、スキャナー部から出力されたスキャンデータを解析すると共に、スキャン結果をモバイル端末４０へ送信すべき旨を示すコマンド情報がスキャンデータに含まれる場合、スキャンデータの少なくとも一部をモバイル端末４０へ送信する制御装置と、を有する。【選択図】図６
2019212974.tif 000002
【特許請求の範囲】
【請求項１】
ネットワークに接続可能なモバイル端末のディスプレイと、シート状の記録媒体と、を含む読取り対象を載置可能な読取り面と、
前記読取り面に載置された前記読取り対象をスキャンすることによってスキャンデータを出力するスキャナー部と、
前記スキャナー部から出力された前記スキャンデータを解析すると共に、スキャン結果を前記モバイル端末へ送信すべき旨を示すコマンド情報が前記スキャンデータに含まれる場合、前記スキャンデータの少なくとも一部を前記モバイル端末へ送信する制御装置と、を備えることを特徴とする画像処理装置。
【請求項２】
前記コマンド情報は、
前記モバイル端末の前記ディスプレイに２次元コードとして表示可能であり、
前記モバイル端末のユーザーに対応した宛先と、前記宛先に対して前記スキャンデータを送信することを指示する指示フラグと、を含む、ことを特徴とする請求項１に記載の画像処理装置。
【請求項３】
前記読取り面に前記記録媒体と前記モバイル端末との双方が載置されている場合に、
前記制御装置は、
前記モバイル端末の載置箇所に相当するスキャンデータに前記２次元コードが含まれることを検知すると、前記２次元コードを解析して前記コマンド情報を取得し、
前記コマンド情報に前記指示フラグが含まれることを検知すると、前記記録媒体の載置箇所に相当するスキャンデータを取得して、前記２次元コードに含まれる前記宛先に送信する、ことを特徴とする請求項２に記載の画像処理装置。
【請求項４】
前記スキャナー部と共に移動し、前記読取り対象に対して光を照射する光源と、
前記スキャナー部と共に移動し、前記読取り対象から光が放射されているか否かを検出する光センサーと、を備え、
前記制御装置は、
前記光センサーが光の放射を検出している場合、前記光源を稼働させずに前記スキャナー部が前記読取り対象のスキャンを実行するように制御する一方で、前記光センサーが光の放射を検出していない場合、前記光源を稼働させながら前記スキャナー部が前記読取り対象のスキャンを実行するように制御する、ことを特徴とする請求項１から請求項３のいずれかに記載の画像処理装置。
【請求項５】
前記制御装置は、前記光センサーが光の放射を検出していない時に前記スキャナー部がスキャンして出力したスキャンデータを前記モバイル端末へ送信する、ことを特徴とする請求項４に記載の画像処理装置。
【請求項６】
ネットワークに接続可能なモバイル端末のディスプレイと、シート状の記録媒体と、を含む読取り対象を載置可能な読取り面と、
前記読取り面に載置された前記読取り対象をスキャンすることによってスキャンデータを出力するスキャナー部と、を備えた画像処理装置の制御に用いる画像処理プログラムであって、
前記スキャナー部から出力された前記スキャンデータを解析すると共に、スキャン結果を前記モバイル端末へ送信すべき旨を示すコマンド情報が前記スキャンデータに含まれる場合、前記スキャンデータの少なくとも一部を前記モバイル端末へ送信するように、前記画像処理装置が備えたコンピューターを機能させる、ことを特徴とする画像処理プログラム。
【発明の詳細な説明】
【技術分野】
【０００１】
本発明は、スキャンしたデータをモバイル端末に取り込ませることが可能な画像処理装置および画像処理プログラムに関する。
【背景技術】
【０００２】
近年、スマートフォンやタブレット端末等に代表される様々な用途を有したモバイル端末が広く活用されている。モバイル端末のユーザーは、モバイル端末のカメラを用いて撮影した画像をモバイル端末内に記録したり、記録された画像データをモバイル端末のディスプレイを用いて閲覧したりすることが可能である。
【０００３】
モバイル端末の利用に関し、文字や画像等がプリントされた印刷物の情報をデータとしてモバイル端末に取り込みたい、というユーザーからの要望がある。従来、上記のような要望を実現するには、モバイル端末のカメラを使用して印刷物を撮影することによって印刷物の情報をデータ化する手法を取ることが一般的であった。
【先行技術文献】
【特許文献】
【０００４】
【特許文献１】特開平０６−２３３０２０号公報
【発明の概要】
【発明が解決しようとする課題】
【０００５】
しかしながら、カメラを用いて印刷物を撮影してデータ化する手法には、種々の問題が存在する。シワが生じている印刷物を撮影して得られたデータや、印刷物にピントが合わない状態で撮影して得られたデータにおいては、印刷物の原本が有する情報と比較して、情報の劣化が生じている場合がある。また、カメラの撮影によって生成されたデータはサイズ（容量）が比較的大きいので、モバイル端末のメモリーをより多く消費してしまう。
【０００６】
以上の事情を考慮して、本発明は、画像処理装置でスキャンしたデータを簡便かつ適切にモバイル端末に取り込ませることを目的とする。
【課題を解決するための手段】
【０００７】
本発明の画像処理装置は、ネットワークに接続可能なモバイル端末のディスプレイと、シート状の記録媒体と、を含む読取り対象を載置可能な読取り面と、前記読取り面に載置された前記読取り対象をスキャンすることによってスキャンデータを出力するスキャナー部と、前記スキャナー部から出力された前記スキャンデータを解析すると共に、スキャン結果を前記モバイル端末へ送信すべき旨を示すコマンド情報が前記スキャンデータに含まれる場合、前記スキャンデータの少なくとも一部を前記モバイル端末へ送信する制御装置と、を備えることを特徴とする。
【０００８】
好適には、上記した画像処理装置において、前記コマンド情報は、前記モバイル端末の前記ディスプレイに２次元コードとして表示可能であり、前記モバイル端末のユーザーに対応した宛先と、前記宛先に対して前記スキャンデータを送信することを指示する指示フラグと、を含む。
【０００９】
好適には、上記した画像処理装置において、前記読取り面に前記記録媒体と前記モバイル端末との双方が載置されている場合に、前記制御装置は、前記モバイル端末の載置箇所に相当するスキャンデータに前記２次元コードが含まれることを検知すると、前記２次元コードを解析して前記コマンド情報を取得し、前記コマンド情報に前記指示フラグが含まれることを検知すると、前記記録媒体の載置箇所に相当するスキャンデータを取得して、前記２次元コードに含まれる前記宛先に送信する。
【００１０】
好適には、上記した画像処理装置が、前記スキャナー部と共に移動し、前記読取り対象に対して光を照射する光源と、前記スキャナー部と共に移動し、前記読取り対象から光が放射されているか否かを検出する光センサーと、を備え、前記制御装置は、前記光センサーが光の放射を検出している場合、前記光源を稼働させずに前記スキャナー部が前記読取り対象のスキャンを実行するように制御する一方で、前記光センサーが光の放射を検出していない場合、前記光源を稼働させながら前記スキャナー部が前記読取り対象のスキャンを実行するように制御する。
【００１１】
好適には、前記制御装置は、前記光センサーが光の放射を検出していない時に前記スキャナー部がスキャンして出力したスキャンデータを前記モバイル端末へ送信する。
【００１２】
また、本発明の画像処理プログラムは、ネットワークに接続可能なモバイル端末のディスプレイと、シート状の記録媒体と、を含む読取り対象を載置可能な読取り面と、前記読取り面に載置された前記読取り対象をスキャンすることによってスキャンデータを出力するスキャナー部と、を備えた画像処理装置の制御に用いる画像処理プログラムであって、前記スキャナー部から出力された前記スキャンデータを解析すると共に、スキャン結果を前記モバイル端末へ送信すべき旨を示すコマンド情報が前記スキャンデータに含まれる場合、前記スキャンデータの少なくとも一部を前記モバイル端末へ送信するように、前記画像処理装置が備えたコンピューターを機能させる、ことを特徴とする。
【００１３】
なお、本発明は、上記した画像処理プログラムを記録したコンピューター読取り可能な非一過性の記録媒体（non-transitory computer readable medium）に係る発明としても特定され得る。
【発明の効果】
【００１４】
本発明によれば、簡易な構成で、画像処理装置を用いてスキャンした記録媒体上の情報が自動的にモバイル端末へ送信されるので、モバイル端末や画像処理装置の操作に不慣れなユーザーにとっての利便性が向上する。
【図面の簡単な説明】
【００１５】
【図１】本発明の一実施形態に係る複合機を示す断面図である。
【図２】本発明の一実施形態に係る複合機におけるスキャン動作の説明図である。
【図３】本発明の一実施形態に係る複合機におけるスキャン動作の説明図である。
【図４】本発明の一実施形態に係る複合機の制御装置の電気的構造を示すブロック図である。
【図５】本発明の一実施形態に係るネットワーク構成図である。
【図６】本発明の一実施形態に係るスキャン処理のシーケンス図である。
【図７】本発明の一実施形態に係る２次元コードを例示する図である。
【発明を実施するための形態】
【００１６】
以下、図面を参照しつつ、本発明の実施形態について説明する。本実施形態では、本発明に係る画像処理装置の構成を、プリント機能、コピー機能、ファックス機能、データ送受信機能等を複合的に備えた複合機１（Multifunction Peripheral，ＭＦＰ）に適用する場合について説明する。以下では、便宜上、図１の紙面手前側を、複合機１の正面側（前側）として説明する。
【００１７】
１．複合機（画像処理装置）の全体構成
図１に示されるように、複合機１は、略箱型形状の装置本体２を備える。装置本体２の下部には、複合機１の内側に用紙を収納する給紙部として給紙カセット３が着脱可能に収容される。装置本体２の右側部には、複合機１の外側に用紙を収納する（用紙が載置される）給紙部として手差しトレイ４が開閉可能に設けられる。装置本体２の上部の排紙空間には排紙トレイが設けられる。給紙カセット３、手差しトレイ４及び排紙トレイは、装置本体２内の後述の画像形成部１２で画像が形成される用紙を搬送するために用いられる。
【００１８】
装置本体２の上部には、原稿等の読取り対象を読み取ってスキャンデータ（例えば、画像データ）を出力する画像読取り装置５が設けられる。画像読取り装置５は、略箱型形状の読取り台５ａと、読取り台５ａの上面にプラテンガラスで構成される読取り面５ｂと、画像読取り装置５の下方にそれぞれ配置されたスキャナー部５ｃ、用紙センサー５ｄ、光センサー５ｅ、および光源５ｆと、を備える。
【００１９】
画像読取り装置５の上方には、画像読取り装置５へと原稿を供給する自動原稿搬送装置（Auto Document Feeder，ＡＤＦ）等を備えた原稿搬送部６が設けられる。また、原稿搬送部６は、画像読取り装置５のプラテンガラスを覆うカバー部材として、開閉可能に取り付けられる。
【００２０】
スキャナー部５ｃは、読取り面５ｂに載置された読取り対象をスキャンすることによってスキャンデータを出力するように構成される。スキャナー部５ｃによる読取り対象は、原稿等のシート状の記録媒体に限定されず、例えば、スマートフォンやタブレット等のモバイル端末４０のディスプレイも含まれる。
【００２１】
用紙センサー５ｄは、読取り面５ｂに載置された読取り対象のサイズを検出する。光センサー５ｅは、スキャナー部５ｃと共に移動し、読取り対象から光が放射されているか否かを検出する。光源５ｆは、スキャナー部５ｃと共に移動し、読取り対象に対して光を照射する。
【００２２】
更に、装置本体２の上部では、操作表示ユニット７（表示部）が正面側に取り付けられる。操作表示ユニット７は、例えば、テンキーやスタートキー、システムメニューキー、送信キー、コピーキー、確認キー等の操作キーと、タッチパネル等の表示器とを備えて、プリント枚数やプリント濃度等の設定についてユーザーからの設定入力を受け付ける。
【００２３】
装置本体２の中央部には、中間転写ベルト１０が複数のローラー間に架設される。中間転写ベルト１０の下方には、レーザー・スキャニング・ユニット（ＬＳＵ）からなる露光装置１１が設けられる。中間転写ベルト１０の下側面に沿って、４個の画像形成部１２がトナーの色（例えば、イエロー、シアン、マゼンタ、ブラックの４色）毎に設けられる。
【００２４】
各画像形成部１２は、回転可能な感光体ドラムを備え、更に、感光体ドラムの周囲には、帯電器と、現像器と、一次転写部と、クリーニング装置と、除電器とが、一次転写のプロセス順に配置される。中間転写ベルト１０の右端には、二次転写部１３が設けられ、二次転写部１３は、中間転写ベルト１０の右端側の一部と二次転写ローラーとで構成される。また、中間転写ベルト１０の左端には、中間転写ベルト１０を清掃するためのクリーニング装置が設けられる。各画像形成部１２は、スキャナー部５ｃが取得した画像データに基づいて、用紙等の記録媒体に対する画像形成を実行する要素である。
【００２５】
装置本体２の右部には、用紙の搬送経路１５が設けられる。搬送経路１５の上流部には、給紙ローラー等からなる給紙機構１６が給紙カセット３に対応して設けられる。搬送経路１５の中流部には、上記した二次転写部１３が設けられる。また、搬送経路１５は、給紙カセット３よりも下流側、かつ二次転写部１３よりも上流側で手差しトレイ４と連絡されている。手差しトレイ４の近傍には、給紙ローラー等からなる給紙機構１７が設けられる。搬送経路１５の下流部には、定着装置が設けられ、搬送経路１５の下流端には排紙口が設けられる。また、装置本体２は、複合機１の各部を制御する制御装置２０を備える。
【００２６】
２．画像形成動作の概略
次に、上記した複合機１の画像形成動作について説明する。複合機１に電源が投入されると、制御装置２０は、各種パラメーターの初期化等を実行する。複合機１では、画像読取り装置５や外部のコンピューター等からプリント用のデータが入力され、プリント開始の指示がなされると、制御装置２０による制御の下、以下のように画像形成動作が実行される。
【００２７】
まず、制御装置２０が、プリント用のデータおよび各種プリント設定に基づいて、画像形成処理の対象となる出力画像データを作成する。そして、制御装置２０の制御の下、各画像形成部１２では、感光体ドラムが、帯電器によって帯電された後、露光装置１１によって出力画像データに基づいて露光されることで、感光体ドラム上に静電潜像が形成される。
【００２８】
感光体ドラム上の静電潜像は、現像器によって各色のトナー像に現像される。感光体ドラム上のトナー像は、一次転写部によって中間転写ベルト１０の表面に一次転写される。以上の動作を４つの画像形成部１２が順次繰り返すことによって、中間転写ベルト１０上にフルカラーのトナー像（カラートナー像）が形成される。カラートナー像は、中間転写ベルト１０の回転によって、所定の二次転写タイミングで二次転写部１３へ供給される。
【００２９】
他方、給紙カセット３または手差しトレイ４に収納された用紙は、給紙機構１６または給紙機構１７によって取り出されて搬送経路１５上を搬送される。そして、搬送経路１５上の用紙は、上記の所定の二次転写タイミングで二次転写部１３へと搬送される。二次転写部１３では、中間転写ベルト１０上のカラートナー像が用紙に二次転写される。カラートナー像を二次転写された用紙は、搬送経路１５を下流側へと搬送されて、定着装置によってカラートナー像が用紙に定着された後、排紙口から排紙トレイへと排出される。
【００３０】
３．スキャン動作
次に、上記した複合機１のスキャン動作について説明する。スキャナー部５ｃは、制御装置２０の制御の下、原稿搬送部６の自動原稿搬送装置から供給された読取り対象、または読取り面５ｂに直接的に載置された読取り対象をスキャンすることによって、読取り対象に対応したスキャンデータを出力する。
【００３１】
本実施形態において、以下のように、スキャナー部５ｃに対向している読取り対象から光が放射されているか否かに基づいて、スキャン動作の際の光源５ｆの稼働が制御されると好適である。光センサー５ｅおよび光源５ｆは、スキャナー部５ｃと一体として構成されており、スキャナー部５ｃの移動に伴って移動する。
【００３２】
図２は、光を放射しない読取り対象であるプリント済み原稿３０が読取り面５ｂに載置されている様子を示す図である。図３は、光を放射している読取り対象であるモバイル端末４０のディスプレイとプリント済み原稿３０との双方が読取り面５ｂに載置されている様子を示す図である。なお、モバイル端末４０は、インターネットＩＮに接続可能な無線通信装置である。
【００３３】
まず、図２のケースを説明する。読取り対象であるプリント済み原稿３０は光を放射しないから、スキャナー部５ｃによるスキャン動作が実行されている間に亘り、光センサー５ｅは光の放射を検出しないことを示す信号を制御装置２０へ出力し続ける。以上の光センサー５ｅからの出力を受けて、制御装置２０は、光源５ｆを稼働させながら（すなわち、光源５ｆからの光をプリント済み原稿３０に照射しながら）、スキャナー部５ｃが読取り対象のスキャンを実行するように制御する。スキャナー部５ｃは、矢印Ａ方向に移動しながら、プリント済み原稿３０を読み取ってスキャンデータを出力する。
【００３４】
次いで、図３のケースを説明する。本ケースでは、スキャナー部５ｃの移動方向である読取り方向（矢印Ａ，副走査方向）の上流側にモバイル端末４０のディスプレイが載置され、読取り方向の下流側にプリント済み原稿３０が載置されている。
【００３５】
まず、ユーザーからのスキャン動作の開始指示に従ってスキャナー部５ｃが移動し、第１の読取り対象であるモバイル端末４０のディスプレイに光センサー５ｅが対向する。第１の読取り対象であるディスプレイは光を放射しているから、スキャナー部５ｃ（光センサー５ｅ）がディスプレイに対向している間に亘って、光センサー５ｅは、光の放射を検出していることを示す信号を制御装置２０へ出力する。
【００３６】
以上の光センサー５ｅからの出力を受けて、制御装置２０は、光源５ｆを稼働させずに、スキャナー部５ｃが第１の読取り対象のスキャンを実行するように制御する。スキャナー部５ｃは、矢印Ａ方向に移動しながら第１の読取り対象であるディスプレイを読み取ってスキャンデータを出力する。光源５ｆが稼働しないことによって、光源５ｆからの光とモバイル端末４０のディスプレイからの光との干渉等によるフレアの発生が抑制される。
【００３７】
次いで、スキャナー部５ｃは移動を継続し、第２の読取り対象であるプリント済み原稿３０に光センサー５ｅが対向する。第２の読取り対象であるプリント済み原稿３０は光を放射しないから、スキャナー部５ｃ（光センサー５ｅ）がプリント済み原稿３０に対向している間に亘って、光センサー５ｅは、光の放射を検出しないことを示す信号を制御装置２０へ出力する。
【００３８】
以上の光センサー５ｅからの出力を受けて、制御装置２０は、光源５ｆを稼働させながらスキャナー部５ｃが第２の読取り対象のスキャンを実行するように制御する。スキャナー部５ｃは、矢印Ａ方向に移動しながら、第２の読取り対象であるプリント済み原稿３０を読み取ってスキャンデータを出力する。
【００３９】
４．制御装置
図４を参照して、複合機１が備える制御装置２０について説明する。図４は、制御装置２０とその関連要素との電気的構造を示すブロック図である。概略的には、制御装置２０は、複合機１の各部と電気的に接続し、複合機１の機能、例えば、画像読取り装置５における読取り動作および画像形成部１２等による画像形成動作を制御する。また、制御装置２０は、スキャナー部５ｃから出力されたスキャンデータを解析する。
【００４０】
図４に示すように、制御装置２０は、ＣＰＵ（Central Processing Unit）２１と、ＲＯＭ（Read Only Memory）、ＲＡＭ（Random Access Memory）、フラッシュメモリー等の記憶装置で構成されたメモリー２２と、要素間の信号伝送に用いられるバス２３と、複合機１の各部との接点となるインターフェイス２４と、通信ネットワークＣＮとの接点となるネットワーク（Ｎ／Ｗ）アダプター２５と、を含む。
【００４１】
ＣＰＵ２１は、メモリー２２に記憶された制御プログラムおよび制御用データに基づいて演算処理を実行する。メモリー２２は、ＣＰＵ２１による演算処理（画像形成制御）に用いる制御プログラムや制御データ等を記憶する。また、メモリー２２は、ＣＰＵ２１の演算結果等を一時的に記憶する。
【００４２】
バス２３は、ＣＰＵ２１、メモリー２２、インターフェイス２４、およびＮ／Ｗアダプター２５を相互に接続している。インターフェイス２４には、複合機１の各部（例えば、画像読取り装置５、原稿搬送部６、露光装置１１、画像形成部１２等）が電気的に接続されている。Ｎ／Ｗアダプター２５は通信ネットワークＣＮに接続されている。本実施形態のネットワーク構成については後述する。
【００４３】
５．ネットワーク構成
図５を参照して、本実施形態のネットワーク構成について説明する。本実施形態の画像形成システムＳは、複合機１と、通信ネットワークＣＮと、管理サーバーＭＳと、を備える。
【００４４】
複合機１は、例えば、コンビニエンスストアに設置され、ユーザーが有償で使用するプリント端末機である。管理サーバーＭＳは、複合機１への情報提示や課金等を管理するサーバー装置であり、例えば、コンビニエンスストア本部によって運用されている。通信ネットワークＣＮは、例えば、広域をカバーする閉じたネットワーク（企業内ネットワーク）であり、例えば、ＷＡＮ（Wide Area Network）やＶＰＮ（Virtual Private Network）によって構築されている。
【００４５】
通信ネットワークＣＮは、不図示のゲートウェイサーバーを介してインターネットＩＮに接続されており、インターネットＩＮには、電子メールの送受信を実行する電子メールサーバーＥＳが接続されている。
【００４６】
上記した通信ネットワークＣＮおよびインターネットＩＮは、所定の通信規約、例えばＴＣＰ／ＩＰプロトコルスイートに準拠しており、各ノード（複合機１、管理サーバーＭＳ、電子メールサーバーＥＳ等）にはＩＰアドレス等の識別子が割り当てられている。複合機１は、通信ネットワークＣＮを介してインターネットＩＮに接続することが可能である。なお、モバイル端末４０は、基地局や交換局等を含むセルラーネットワークや公衆無線ＬＡＮ（いずれも不図示）等を介して、インターネットＩＮに接続可能である。
【００４７】
電子メールサーバーＥＳは、所定のプロトコル、例えば送信プロトコルであるＳＭＴＰ（Simple Mail Transfer Protocol）および受信プロトコルであるＰＯＰ３（Post Office Protocol version 3）に従って動作する。なお、ＰＯＰ３に代えてまたは加えて、受信プロトコルであるＩＭＡＰ４（Internet Message Access Protocol version 4）を採用することも可能である。
【００４８】
電子メールサーバーＥＳは、ユーザーがモバイル端末４０のメールクライアントを使用して作成した他のユーザー宛の電子メールを受領して、その電子メールの宛先メールアドレスが示す他の電子メールサーバー（例えば、モバイル端末４０が加入する無線通信キャリアが提供するサーバー）に送信する。他の電子メールサーバーは、上記の電子メールを受信すると、宛先メールアドレスが示すメールボックスにその電子メールを格納する。他のユーザーは、自身のメールクライアントを利用して他の電子メールサーバーにアクセスし、メールボックス内の自分宛ての電子メールを受領する。
【００４９】
上記では、モバイル端末４０のユーザーが他のユーザーに電子メールを送信するケースを説明したが、任意の２ユーザーに関して上記のようにして電子メールを送受信することが可能であることは当然である。
【００５０】
６．モバイル端末へのスキャンデータの取込み（送信）処理
次いで、本実施形態のスキャンデータの取込み処理（送信処理）について説明する。概略的には、複合機１において、読取り面５ｂに載置された読取り対象をスキャンしている際に、後述のコマンド情報がスキャンデータに含まれることが検知された場合、制御装置２０がスキャンデータをモバイル端末４０へ送信する。詳細には以下の通りである。
【００５１】
図６は、本実施形態の処理シーケンス図である。ユーザーは、モバイル端末４０を操作してコマンド情報をディスプレイに表示する（ステップＳ１００）。コマンド情報は、スキャン結果をモバイル端末４０へ送信すべき旨を示す情報である。本実施形態では、２次元コード（ＱＲコード（登録商標））によってコマンド情報が表現されている。図７に、本実施形態の２次元コードの例を示す。この２次元コードには、以下の文字列がコードされている。
import=on&email=user@thisisadummy.com
【００５２】
すなわち、本実施形態の２次元コードは、モバイル端末４０のユーザーに対応した宛先であるメールアドレス（email=user@thisisadummy.com）と、スキャンデータを、複合機１自体に取り込むのではなく、複合機１に載置されているモバイル端末４０のユーザーの宛先に送信して取り込ませることを指示する指示フラグ（import=on）とを含んでいる。
【００５３】
なお、コマンド情報は、例えば、モバイル端末４０にインストールされた情報生成アプリケーションによって生成される。ユーザーがモバイル端末４０のディスプレイをタップしてこの情報生成アプリケーションを起動したときに、メモリー２２に記憶されているユーザーの宛先メールアドレスに基づいて２次元コードが生成されると好適である。なお、コマンド情報として、２次元コードではなく、以上の文字列が直接ディスプレイに表示されてもよい。
【００５４】
次いで、ユーザーは、モバイル端末４０のディスプレイに表示されたコマンド情報を複合機１にスキャンさせるために、ディスプレイ側を下にして（すなわち、表示画面を読取り面５ｂに向けて）、モバイル端末４０を画像読取り装置５に載置する。ユーザーは、併せて、モバイル端末４０に取り込みたいプリント済み原稿３０（記録媒体）を画像読取り装置５に載置する（ステップＳ１０２）。
【００５５】
載置後の様子は前述した図３と同様であり、読取り面５ｂ上に、プリント済み原稿３０とモバイル端末４０との双方が載置されている。読取り方向上流にモバイル端末４０が位置し、読取り方向下流にプリント済み原稿３０が位置している。
【００５６】
ユーザーが、複合機１の操作表示ユニット７を操作してスキャン処理を開始すると（ステップＳ１０４）、図３を参照して前述したように、スキャナー部５ｃが読取り方向への移動を開始する。そして、スキャナー部５ｃはモバイル端末４０の載置箇所に対向する。
【００５７】
ステップＳ１０６のスキャン動作は以下のように実行される。光センサー５ｅがモバイル端末４０の載置箇所（ディスプレイ）に対向すると、制御装置２０は、光源５ｆを稼働させずに、スキャナー部５ｃがディスプレイのスキャンを実行するように制御する。スキャナー部５ｃはスキャン動作を実行し、モバイル端末４０の載置箇所（ディスプレイ）に相当するスキャンデータを制御装置２０へ出力する。
【００５８】
ステップＳ１０６にて、制御装置２０は、スキャナー部５ｃから出力されたスキャンデータを解析する。モバイル端末４０の載置箇所に相当するスキャンデータに２次元コードが含まれることを検知すると（ステップＳ１０８：ＹＥＳ）、制御装置２０は２次元コードを解析してコマンド情報（指示フラグおよび宛先）を取得する（ステップＳ１１０）。なお、コマンド情報が文字列として表示される構成においては、制御装置２０がＯＣＲによって文字列を取得して解析を実行してもよい。
【００５９】
制御装置２０は、取得したコマンド情報に指示フラグ（import=on）が含まれることを検知すると（ステップＳ１１２：ＹＥＳ）、光源５ｆを稼働させながら、スキャナー部５ｃがプリント済み原稿３０のスキャンを実行するように制御する。スキャナー部５ｃはスキャン動作を継続し、プリント済み原稿３０（記録媒体）の載置箇所に相当するスキャンデータを制御装置２０へ出力する（ステップＳ１１４）。
【００６０】
ステップＳ１０４からステップＳ１１４までの動作を総括すると、制御装置２０は、光センサー５ｅが光の放射を検出している時にスキャナー部５ｃがスキャンして出力したスキャンデータ（すなわち、モバイル端末４０のディスプレイをスキャンしたスキャンデータ）はモバイル端末４０へ送信しない一方で、光センサー５ｅが光の放射を検出していない時にスキャナー部５ｃがスキャンして出力したスキャンデータ（すなわち、プリント済み原稿３０をスキャンしたスキャンデータ）をモバイル端末４０へ送信する。
【００６１】
次いで、制御装置２０は、先に取得したプリント済み原稿３０のスキャンデータを、コマンド情報が示す宛先電子メールアドレスへ送信する（ステップＳ１１６）。スキャンデータは、例えば、ＰＤＦ形式に変換されて、データ送付のための電子メールに添付されて送信されると好適である。ＪＰＥＧ形式等の画像用の形式と比較してファイルサイズが小さいからである。電子メールサーバーＥＳを介して送信されたプリント済み原稿３０のスキャンデータは、モバイル端末４０へと送信される（ステップＳ１１８）。スキャンデータを受信すると、モバイル端末４０は、ディスプレイに「受信完了」の通知メッセージを表示する。
【００６２】
制御装置２０は、ステップＳ１０６で解析したスキャンデータに２次元コードが含まれないことを検知する（ステップＳ１０８：ＮＯ）か、ステップＳ１１０で取得したコマンド情報に指示フラグが含まれないことを検知すると（ステップＳ１１２：ＮＯ）、ステップＳ１１４と同様にプリント済み原稿３０のスキャンを実行した後、取得されたスキャンデータを複合機１のメモリー２２に記憶する（ステップＳ１２０）。
【００６３】
７．本実施形態の技術的効果
上記したように、本実施形態の複合機１（画像処理装置）は、インターネットＩＮに接続可能なモバイル端末４０のディスプレイと、シート状の記録媒体であるプリント済み原稿３０と、を含む読取り対象を載置可能な読取り面５ｂと、読取り面５ｂに載置された読取り対象をスキャンすることによってスキャンデータを出力するスキャナー部５ｃと、スキャナー部５ｃから出力されたスキャンデータを解析すると共に、スキャン結果をモバイル端末４０へ送信すべき旨を示すコマンド情報がスキャンデータに含まれる場合、スキャンデータの少なくとも一部をモバイル端末４０へ送信する制御装置２０と、を備える。
【００６４】
以上の構成によれば、簡易な構成で、複合機１を用いてスキャンした記録媒体上の情報が自動的にモバイル端末４０へ送信されるので、モバイル端末４０や複合機１の操作に不慣れなユーザーにとっての利便性が向上する。つまり、ユーザーは、スキャンしたいプリント済み原稿３０の横にモバイル端末４０を載置してスキャンするという直感的な操作により、結果として（すなわち、ユーザーが意識せずとも）、記録媒体上の情報をモバイル端末４０に取り込むことが可能となる。
【００６５】
また、コマンド情報が、モバイル端末４０のディスプレイに２次元コードとして表示可能であり、かつ、モバイル端末４０のユーザーに対応した宛先（例えば、電子メールアドレス）と、宛先に対してスキャンデータを送信することを指示する指示フラグと、を含む構成によれば、省スペースな２次元コードを用いることによって、狭隘なモバイル端末４０のディスプレイにも確実にコマンド情報を含めることが可能となる。
【００６６】
また、複合機１において、読取り面５ｂにプリント済み原稿３０とモバイル端末４０との双方が載置されている場合に、制御装置２０が、モバイル端末４０の載置箇所に相当するスキャンデータに２次元コードが含まれることを検知すると、２次元コードを解析してコマンド情報を取得し、コマンド情報に指示フラグが含まれることを検知すると、記録媒体の載置箇所に相当するスキャンデータを取得して、２次元コードに含まれる宛先に送信する構成によれば、コマンド情報に指示フラグが含まれるときに限って上述したモバイル端末４０へのデータ取込みを実行するので、一般的な２次元コードが画像データに含まれている場合の誤動作を防止することが可能である。
【００６７】
また、複合機１が、スキャナー部５ｃと共に移動し、読取り対象に対して光を照射する光源５ｆと、スキャナー部５ｃと共に移動し、読取り対象から光が放射されているか否かを検出する光センサー５ｅと、を備え、制御装置２０が、光センサー５ｅが光の放射を検出している場合、光源５ｆを稼働させずにスキャナー部５ｃが読取り対象のスキャンを実行するように制御する一方で、光センサー５ｅが光の放射を検出していない場合、光源５ｆを稼働させながらスキャナー部５ｃが読取り対象のスキャンを実行するように制御する構成によれば、光を放射するモバイル端末４０のディスプレイをスキャンする際には光源５ｆの稼働が抑止されるので、フレア等の発生無く精度良くディスプレイを読み取ることが可能となる。また、光センサー５ｅの出力に応じて即座に光源５ｆが制御されるので、光源５ｆを稼働させずに実行するスキャンと光源５ｆを稼働させたスキャンとの双方を実行する必要性が排除される。
【００６８】
また、制御装置２０が、光センサー５ｅが光の放射を検出していない時にスキャナー部５ｃがスキャンして出力したスキャンデータをモバイル端末４０へ送信する構成によれば、光が放射されている位置によって、すなわち、光を放射するモバイル端末４０のディスプレイの載置位置によって、モバイル端末４０へ送信すべきスキャンデータのためのスキャンエリアを制御することが可能である。
【００６９】
本実施形態の画像処理プログラムは、インターネットＩＮに接続可能なモバイル端末４０のディスプレイと、シート状の記録媒体であるプリント済み原稿３０と、を含む読取り対象を載置可能な読取り面５ｂと、読取り面５ｂに載置された読取り対象をスキャンすることによってスキャンデータを出力するスキャナー部５ｃと、を備えた複合機１の制御に用いる画像処理プログラムであって、スキャナー部５ｃから出力されたスキャンデータを解析すると共に、スキャン結果をモバイル端末４０へ送信すべき旨を示すコマンド情報がスキャンデータに含まれる場合、スキャンデータの少なくとも一部をモバイル端末４０へ送信するように、複合機１が備えたＣＰＵ２１（コンピューター）を機能させる。上記した機能が画像処理プログラムとして提供されることによって、当初は上記の機能を有さない複合機１に対して機能を追加することが可能となる。
【００７０】
８．変形例
上記した実施形態は多様に変形される。以下に実施形態の変形例を示す。実施形態および変形例から任意に選択された２以上の態様は、相互に矛盾しない限り適宜に併合することが可能である。
【００７１】
（１）上記した実施形態では、複合機１が通信ネットワークＣＮおよびインターネットＩＮを介して電子メールサーバーＥＳにアクセスしている。この形態の変形例として、複合機１が、管理サーバーＭＳの管理の下、管理サーバーＭＳ経由で電子メールサーバーＥＳにアクセスする構成も採用可能である。本変形例において、以上の構成によれば、複数の複合機１によるスキャンデータの送信を管理サーバーＭＳによって統合的に管理することが可能となる。
【００７２】
（２）上記した実施形態では、制御装置２０が、第２の読取り対象であるプリント済み原稿３０の載置箇所に相当するスキャンデータのみをモバイル端末４０へ送信している。すなわち、制御装置２０は、スキャンデータの一部をモバイル端末４０へ送信している。しかしながら、制御装置２０が、第１の読取り対象であるモバイル端末４０の載置箇所に相当するスキャンデータと、第２の読取り対象であるプリント済み原稿３０の載置箇所に相当するスキャンデータとを含むスキャンデータの全てをモバイル端末４０へ送信する構成も採用可能である。以上の構成においては、スキャンデータの分割処理が削減される。
【００７３】
（３）上記した実施形態では、読取り方向（副走査方向）に読取り対象が並べて載置されているが、主走査方向（読取り方向に垂直な方向）に読取り対象が並べて載置される構成も採用可能である。この場合、光センサー５ｅは、主走査方向に配列され、各々が光の放射を検出可能な複数のセンサー素子を備え、光源５ｆは、主走査方向に配列され、各々が独立してオン／オフ可能な複数の発光素子を備える。複数のセンサー素子と複数の発光素子とは、位置的に互いに関連付けて構成されている。例えば、センサー素子と発光素子とが位置的に１対１に対応付けられている。
【００７４】
制御装置２０は、スキャン動作の実行時において、光の放射を検出しているセンサー素子に対応した発光素子を稼働させない一方で、光の放射を検出していないセンサー素子に対応した発光素子を稼働させる。以上のように構成することで、光を放射している読取り対象については光源５ｆからの光を当てずにスキャンがなされる一方で、光を放射していない読取り対象については光源５ｆからの光を当ててスキャンがなされる。
【００７５】
（４）上記した実施形態では、画像処理装置の一例である複合機１や複合機１を含む画像処理システムＳに本発明の構成を適用する場合について説明したが、他の異なる実施形態では、プリンター、複写機、ファクシミリ等の他の画像処理装置や、このような他の画像処理装置を備える他の画像処理システムに本発明の構成を適用してもよい。
【００７６】
（５）上記した実施形態の説明は、本発明に係る複合機１における好適な実施の形態を説明しているため、技術的に好ましい種々の限定を付している場合もあるが、本発明の技術的範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００７７】
１    複合機（画像処理装置）
５    画像読取り装置
５ｂ  読取り面
５ｃ  スキャナー部
５ｅ  光センサー
５ｆ  光源
１２  画像形成部
２０  制御装置
２１  ＣＰＵ
４０  モバイル端末
ＩＮ  インターネット
【図１】
2019212974.tif 000003
【図２】
2019212974.tif 000004
【図３】
2019212974.tif 000005
【図４】
2019212974.tif 000006
【図５】
2019212974.tif 000007
【図６】
2019212974.tif 000008
【図７】
2019212974.tif 000009